(57)【要約】【課題】弁体で換気通路を閉じた状態で、シャワー散水等が弁体の内面と縦枠の内面との間を通って換気通路から脱衣室側に流れることがないと共に、弁体を開閉し易くする。【解決手段】縦枠５の内面５ａにおける換気通路６、弁体７よりも面外方向浴室側寄りに水返し部材８を設け、この水返し部材８を弁体７の端面７ａよりも面内方向の内側に張り出すと共に、弁体７の下端面７ｂよりも下方に突出し、前記縦枠５の内面５ａと弁体７の端面７ａとの間の隙間を覆って、シャワー散水が水返し部材８に吹きつけられて弁体７の端面７ａと縦枠５の内面５ａとの間を通って換気通路６から脱衣室側に流れないようにする。【選択図】図３
2010106491.tif 000002
【特許請求の範囲】
【請求項１】
枠体の上枠は、浴室側と脱衣室側を連通する換気通路を有し、前記上枠に揺動自在に取付けた弁体で、前記換気通路を開閉する建具であって、
前記枠体の縦枠の内面と前記弁体の端面との間に隙間を有し、
前記縦枠の内面に、前記隙間を覆って、その隙間から脱衣室側に水分が流れないようにする水返し部材を設けたことを特徴とする建具。
【請求項２】
枠体の上枠は、浴室側と脱衣室側を連通する換気通路を有し、前記上枠に揺動自在に取付けた弁体で、前記換気通路を開閉する建具であって、
前記枠体の縦枠の内面と前記弁体の端面との間に隙間を有し、
前記縦枠の内面における前記換気通路、弁体よりも面外方向浴室側寄りに水返し部材を設け、
該水返し部材は、前記弁体の端面よりも面内方向の内側に張り出し、かつ前記弁体の下端面よりも下方に突出し、前記隙間を覆っていることを特徴とする建具。
【請求項３】
前記上枠は、外側枠材と内側枠材との間における面外方向脱衣室側寄りに、換気通路を有し、
前記外側枠材に弁体の上部を揺動自在に取付け、この弁体の下部を換気通路の下縁部に接して換気通路を閉じるようにし、
前記内側枠材は、その上面に水受け用凹部を有すると共に、この水受け用凹部の長手方向端部を浴室側に連通する排水部を有し、
この排水部は、前記水返し部材で覆われている請求項２記載の建具。
【請求項４】
前記外側枠材と内側枠材との間に、その外側枠材と内側枠材との間の上下間隔を規制すると共に、縦枠の内面に接するスペーサを設け、
このスペーサは前記水返し部材を有する請求項３記載の建具。
【発明の詳細な説明】
【技術分野】
【０００１】
本発明は、浴室開き戸、浴室引戸、浴室折戸等の浴室の出入口として用いる建具に関する。
【背景技術】
【０００２】
従来、浴室の出入口として用いる建具として、浴室を換気できる換気機能を有する建具が知られている。
例えば、特許文献１に開示したように、枠体の上枠に換気通路を形成し、この換気通路を開閉する弁体を上枠に取付けた建具が知られている。
【特許文献１】特開２００８−１４４４３８号公報
【発明の開示】
【発明が解決しようとする課題】
【０００３】
前述した従来の建具は、上枠に弁体を、換気通路を閉じる閉じ位置と、換気通路を開放する開き位置とに亘って揺動可能に取付け、その弁体で換気通路を開放することで浴室を換気できるし、弁体で換気通路を閉じることで換気通路を通して浴室側から脱衣室側に湯水等が流れることがない。
一方、前記上枠は縦枠の内面に連結され、その上枠の換気通路は縦枠の内面まで連続している。
このために、従来は、弁体の端面を縦枠の内面に接し、弁体を閉じ位置としたときに、その弁体の端面と縦枠の内面との間から湯水等が脱衣室に流れ込まないようにしている。
【０００４】
しかし、弁体の端面を縦枠の内面に接しただけでは湯水等が流れないように確実に止水することはできず、浴室でシャワーを使用した際に、そのシャワー散水が弁体の端面と縦枠の内面との間を通って脱衣室側に流れ込むことがある。
このことを防止するには、弁体の端部に水密材を装着し、この水密材を縦枠の内面に押しつけて弁体の端面と縦枠の内面の間を水密することが考えられるが、このようにすると、弁体の揺動抵抗が大きく、弁体を開閉しづらくなってしまう。
【０００５】
本発明の目的は、弁体で換気通路を閉じた状態で、弁体の端面と縦枠の内面との間を通ってシャワー散水等が脱衣室側に流れることがないと共に、弁体を開閉し易くした建具とすることである。
【課題を解決するための手段】
【０００６】
本発明は、枠体の上枠は、浴室側と脱衣室側を連通する換気通路を有し、前記上枠に揺動自在に取付けた弁体で、前記換気通路を開閉する建具であって、
前記枠体の縦枠の内面と前記弁体の端面との間に隙間を有し、
前記縦枠の内面に、前記隙間を覆って、その隙間から脱衣室側に水分が流れないようにする水返し部材を設けたことを特徴とする建具である。
【０００７】
本発明は、枠体の上枠は、浴室側と脱衣室側を連通する換気通路を有し、前記上枠に揺動自在に取付けた弁体で、前記換気通路を開閉する建具であって、
前記枠体の縦枠の内面と前記弁体の端面との間に隙間を有し、
前記縦枠の内面における前記換気通路、弁体よりも面外方向浴室側寄りに水返し部材を設け、
該水返し部材は、前記弁体の端面よりも面内方向の内側に張り出し、かつ前記弁体の下端面よりも下方に突出し、前記隙間を覆っていることを特徴とする建具とすることもできる。
【０００８】
本発明においては、前記上枠は、外側枠材と内側枠材との間における面外方向脱衣室側寄りに、換気通路を有し、
前記外側枠材に弁体の上部を揺動自在に取付け、この弁体の下部を換気通路の下縁部に接して換気通路を閉じるようにし、
前記内側枠材は、その上面に水受け用凹部を有すると共に、この水受け用凹部の長手方向端部を浴室側に連通する排水部を有し、
この排水部は、前記水返し部材で覆われているようにできる。
このようにすれば、換気通路を閉じた状態で、弁体に吹きつけられたシャワー散水は、水受け用凹部から排水部によって浴室側に排水される。
また、排水部は水返し部材で覆われているので、シャワー散水等が排水部から水受け用凹部を通って換気通路から脱衣室側に流れ込むことがない。
【０００９】
本発明において、前記外側枠材と内側枠材との間に、その外側枠材と内側枠材との間の上下間隔を規制すると共に、縦枠の内面に接するスペーサを設け、
このスペーサは前記水返し部材を有するようにできる。
このようにすれば、スペーサで外側枠材と内側枠材の間の上下間隔を規制しているから、換気通路の上下寸法を所定の値とすることができる。
また、スペーサを設けることで水返し部材を取付けできるから、枠体を簡単に組立できる。
【発明の効果】
【００１０】
本発明によれば、水返し部材を設けたことにより、弁体で換気通路を閉じた状態で、縦枠の内面近くのシャワー散水等が縦枠の内面と弁体の端面との間を通って脱衣室側に流れ込むことがない。
また、弁体の端面と縦枠の内面との間に隙間を有しているので、弁体の揺動抵抗が小さく、弁体を開閉し易い。
【００１１】
本発明によれば、水返し部材を、換気通路、弁体よりも面外方向浴室側寄りに設けたことにより、弁体で換気通路を閉じた状態で、縦枠の内面近くのシャワー散水等は水返し材に当り、その水返し部材に沿って流れ落ちるので、そのシャワー散水等が縦枠の内面と弁体の端面との間を通って換気通路から脱衣室側に流れ込むことがない。
また、弁体の端面と縦枠の内面との間に隙間を有しているので、弁体の揺動抵抗が小さく、弁体を開閉し易い。
【発明を実施するための最良の形態】
【００１２】
図１に示すように、枠体１に障子２を開閉自在に装着して建具としてある。
前記枠体１は、上枠３と下枠４と左右の縦枠５，５を方形状に連結してある。
前記上枠３と縦枠５は、上枠３の長手方向の端面３ａが縦枠５の見付け方向の内側面、つまり内面５ａに接するようにして連結される。
【００１３】
図２〜図５に示すように、前記上枠３は換気通路６を有し、この換気通路６で浴室側と脱衣室側が連通する。この換気通路６は縦枠５の内面５ａまで連続している。
前記上枠３には弁体７が、前記換気通路６を閉じる閉じ位置と、前記換気通路６を開放する開き位置とに亘って揺動可能に取付けてある。
この弁体７の長手方向の端面７ａと縦枠５の内面５ａとの間には隙間を有する。
前記縦枠５の内面５ａには水返し部材８が取付けてある。
この水返し部材８は、前記換気通路６、弁体７よりも面外方向の浴室側寄りに位置し、前記弁体７の長手方向の端面７ａよりも面内方向の内側に向けて張り出し、かつ前記弁体７の下端面７ｂよりも下方に突出し、前記隙間を覆っている。
【００１４】
これによって、浴室でシャワーを使用した際に、縦枠５の内面５ａ近くのシャワー散水は水返し部材８に当り、その水返し部材８に沿って流れ落ちるので、前述のシャワー散水が弁体７の端面７ａと縦枠５の内面５ａとの間に吹きつけられることがない。
したがって、弁体７で換気通路６を閉じている状態で、前述のシャワー散水が弁体７の端面７ａと縦枠５の内面５ａとの間を通って換気通路６から脱衣室側に流れることがない。
【００１５】
また、弁体７の端面７ａと縦枠５の内面５ａとの間に隙間を有しているので、弁体７の揺動抵抗は小さく、弁体７を開閉し易い。
【００１６】
前述の実施の形態では、水返し部材８を縦枠５の内面５ａにおける換気通路６、弁体７よりも面外方向浴室側寄りに設けたが、この水返し部材７は縦枠５の内面５ａにおける換気通路６、弁体７よりも面外方向脱衣室側寄りに、前記隙間を覆うように設けることができる。
つまり、水返し部材７は隙間を覆うことで、縦枠５の内面５ａと弁体７の端面７ａとの間からシャワー散水等の水分が脱衣室側に流れ込むことを防止できる。
【００１７】
前記上枠３は、外側枠材１０と内側枠材２０を有している。
前記外側枠材１０、内側枠材２０は縦枠５の内面５ａにビス１１，２１でそれぞれ固着して連結される。
前記外側枠材１０の下面と内側枠材２０の上面との間にはスペーサ３０が設けてあり、このスペーサ３０で外側枠材１０の下面と内側枠材２０の上面が離隔し、その両者の間に前述の換気通路６を形成している。
このようであるから、外側枠材１０と内側枠材２０の間の上下間隔がスペーサ３０で規制され、前述の換気通路６の上下寸法を所定の値とすることができる。
また、外側枠材１０と内側枠材２０をスペーサ３０で仮連結できるから、その外側枠材１０、内側枠材２０を縦枠５の内面５ａに連結する作業がやり易い。
【００１８】
前記スペーサ３０は、前記縦枠５の内面５ａに取付けられる本体部３１と、この本体部３１の面外方向一側部（浴室側部）に設けた内向き張り出し部３２を備え、その本体部３１の上面３１ａが外側枠材１０の下面１０ａに接し、本体部３１の下面３１ｂが内側枠材２０の上面２０ａに接し、前記内向き張り出し部３２は換気通路６、弁体７よりも面外方向一側寄り（浴室側寄り）に位置し、縦枠５の内面５ａと弁体７の端面７ａとの間の隙間（この実施の形態では後述するようにスペーサ３０の本体部３１の内面３１ｃと弁体７の端面７ａとの間の時間）を覆い、この内向き張り出し部３２が前述の水返し部材８である。
【００１９】
このようであるから、スペーサ３０を取付けることで水返し部材８を取付けでき、枠体１を簡単に組立できる。
【００２０】
前記換気通路６はスペーサ３０の本体部３１の内面（反対側のスペーサ３０に向かう面）３１ｃまで連続している。
前記弁体７の長手方向の端面７ａは本体部３１の内面１ｃと隙間を置いて対向し、弁体７は開閉し易い。
前記スペーサ３０の内向き張り出し部３２（水返し部材８）は前記弁体７の端面７ａよりも内方に位置し、かつ前記換気通路６の下開口縁よりも下方に位置しているので、前述したシャワー散水は内向き張り出し部３２に吹きつけられるから、そのシャワー散水が本体部３１の内面３１ｃと弁体７の端面７ａとの間から脱衣室側に流れ込むことがない。
【００２１】
前記内側枠体２０の上面２０ａには水受け用凹部２２が長手方向全長に亘って有し、前記弁体７の長手方向中間部分に吹きつけられたシャワー散水などが水受け用凹部２２内に溜まるようにしてある。
この水受け用凹部２２の面外方向一側部（浴室側部）における長手方向端部には排水部２３が形成されて水受け用凹部２２を浴室側に連通し、その水受け用凹部２２に溜まった湯水等は排水部２３から浴室側に排水される。
したがって、弁体７が換気通路６を閉じている状態で、その弁体７に吹きつけられたシャワー散水等は、水受け用凹部２２に溜まり、排水部２３から浴室側に排水することができる。
【００２２】
前記排水部２３は前記スペーサ３０の内向張り出し部３２（水返し部材８）によって覆われ、前述のシャワー散水等が排水部２３に直接吹きつけられることがないようにしてある。
したがって、シャワー散水等が排水部２３から水受け用凹部２２に流れ込み、換気通路６から脱衣室に流れることがない。
【００２３】
前記外側枠材１０は図５に示すように、面外方向に向かう横向板１２と、この横向板１２の面外方向一方側（浴室側）に設けた垂下板１３を備え、その横向板１２の上面１２ａにビスホール１４を有し、下面１２ｂには、ほぼ円弧形状の凹陥部１５と一対の鉤片１６を有し、その一対の鉤片１６間に下向き凹条溝１７を形成している。
前記横向板１２の下面１２ｂが前述の外側枠材１０の下面１０ａである。
【００２４】
前記内側枠材２０は、横向板２４と垂下板２５を有し、その横向板２４の上面２４ａにおける面外方向一側に一側立上り板２６、面外方向他側に他側立上り板２７をそれぞれ有し、この他側立上り板２７と横向板２４と一側立上り板２６で前述の水受け用凹部２２を形成している。前述一側立上り板２６は縦板２６ａと横板２６ｂで鉤形状で、その縦板２６ａにおける長手方向端部が切欠きされて前記排水部２３としてある。
前記横向板２４の上面２４ａが前述の内側枠材２０の上面２０ａで、その下面にビスホール２８を有している。
【００２５】
前記他側立上り板２７の上面２７ａと前記外側枠材１０の横向板１２の下面１２ｂとが離隔し、その間が換気通路６である。
前記弁体７の上端部７ｃがほぼ断面円弧形状で、その上端部７ｃが前記凹陥部１５内に揺動自在に嵌合して、弁体７を外側枠材１０の横向板１２に取付けてある。
前記弁体７の下端部には水密材７ｄが面外方向他側方（脱衣室側方）に向けて装着され、この水密材７ｄが前記他側立上り板２７の上端部に接する。
【００２６】
前記スペーサ３０の本体部３１は縦向きの板状で、その内面３１ｃの面外方向他側部に弁体受け３３を有し、この弁体受け３３には本体部３１の外面３１ｄまで連続した溝３４が形成してある。
前記内向き張り出し部３２は、横張り出し片３２ａと縦張り出し片３２ｂを有し、その横張り出し片３２ａが図２に示すように、前記下向き凹条溝１７に長手方向から嵌合してスペーサ３０の上部が外側枠材１０に係合連結される。つまり、横張り出し片３２ａが係合部で、下向き凹条溝１７が被係合部である。これらの形状は前述のものに限らず、任意の形状とすることができる。
前記本体部３１の下部寄りには、前記一側立上り板２６が挿通する溝３５が、本体部３１の外面３１ｄまで連続して形成してある。
【００２７】
このようであるから、内側枠材２０の一側立上り板２６が溝３５に挿入すると共に、他側立上り板２７の鉤形に折曲した上部が溝３４に挿入し、スペーサ３０の本体部３１の下面３１ｂが内側枠材２０の上面２０ａ（横向板２４の上面２４ａ）に接することで内側枠材３０とスペーサ３０が連結される。
つまり、溝３４，３５が係合部で、一側立上り板２６、他側立上り板２７の上部が被係合部であり、これらの形状は前述のものに限らず任意の形状とすることができる。
【００２８】
前述の実施の形態ではスペーサ３０を設けたが、このスペーサ３０を設けずに、水切り部材８のみを縦枠５の内面５ａに設けても良い。
また、スペーサ３０と水切り部材８を別々とし、縦枠５の内面５ａに別々に設けても良い。
前記上枠３の端面３ａと縦枠５の内面５ａとの間、スペーサ３０と縦枠５の内面５ａとの間にシーラなどの水密材を設けても良い。
【図面の簡単な説明】
【００２９】
【図１】本発明の実施の形態を示す建具の全体正面図である。
【図２】縦枠と上枠の連結部の斜視図である。
【図３】上枠の縦断面図である。
【図４】図３のＡ−Ａ断面図である。
【図５】上枠とスペーサと縦枠の分解斜視図である。
【符号の説明】
【００３０】
１…枠体、２…障子、３…上枠、４…下枠、５…縦枠、５ａ…内面、６…換気通路、６ａ…下開口縁、７…弁体、８…水返し部材、１０…外側枠材、１０ａ…下面、２０…内側枠材、２０ａ…上面、２２…水受け用凹部、２３…排水部、３０…スペーサ。
【図１】
2010106491.tif 000003
【図２】
2010106491.tif 000004
【図３】
2010106491.tif 000005
【図４】
2010106491.tif 000006
【図５】
2010106491.tif 000007